(57)【要約】【課題】防犯・防水に役立ち、かつ、安全性の高い自転車かご用巾着袋を提供することを目的とする。【解決手段】自転車に固着されたかごＡに取付けられると共に上方開口状の開口部５を有する袋状体１を備え、管状に縫製した開口部５の周端縁部５Ａに、引き絞り用の紐３を挿通し、周端縁部５Ａに２個の紐出し口部６，６を設け、かつ、紐出し口部６，６相互の中間位置にて紐３と袋状体１の周端縁部５Ａを縫い合わせて止着する縫着部４，４を設け、紐３に張力を付与しつつ紐出し口部６，６近傍を縫着部４，４に向けて押圧すると周端縁部５Ａが蛇腹状に縮んで開口部５が絞られるように構成されている。【選択図】図２
2013126889.tif 000002
【特許請求の範囲】
【請求項１】
自転車に固着されたかご（Ａ）に取付けられると共に上方開口状の開口部（５）を有する袋状体（１）を備え、管状に縫製した上記開口部（５）の周端縁部（５Ａ）に、引き絞り用の紐（３）を挿通し、
上記周端縁部（５Ａ）に２個の紐出し口部（６）（６）を設け、かつ、該紐出し口部（６）（６）相互の中間位置にて上記紐（３）と上記袋状体（１）の周端縁部（５Ａ）を縫い合わせて止着する縫着部（４）（４）を設け、上記紐（３）に張力を付与しつつ上記紐出し口部（６）（６）近傍を上記縫着部（４）（４）に向けて押圧すると上記周端縁部（５Ａ）が蛇腹状に縮んで上記開口部（５）が絞られるように構成されたことを特徴とする自転車かご用巾着袋。
【請求項２】
自転車に固着されたかご（Ａ）に取付けられると共に上方開口状の開口部（５）を有する袋状体（１）を備え、管状に縫製した上記開口部（５）の周端縁部（５Ａ）に、引き絞り用の紐（３）を挿通し、
上記周端縁部（５Ａ）に２個の紐出し口部（６）（６）を設け、かつ、該紐出し口部（６）（６）相互の中間位置にて上記紐（３）と上記袋状体（１）の周端縁部（５Ａ）を縫い合わせて止着する縫着部（４）（４）を設け、上記紐（３）が斜め上方に向けて引き上げられると上記紐出し口部（６）（６）が相互に接近し上記周端縁部（５Ａ）が蛇腹状に縮んで上記開口部（５）が絞られるように構成されたことを特徴とする自転車かご用巾着袋。
【請求項３】
上記周端縁部（５Ａ）が縮んで上記開口部（５）が絞られた閉状態に於て、上記紐出し口部（６）（６）の各々から引き出された引出し紐部（１０）は先端（３ａ）で折り返された直線状の２重紐から成り、該直線状の２重紐の各引出し紐部（１０）の引出し長さ寸法（Ｌ３）は、全開状態下の上記開口部（５）の周端縁部（５Ａ）の長さ寸法（Ｌ５）の２５％以下に設定されている請求項１又は２記載の自転車かご用巾着袋。
【発明の詳細な説明】
【技術分野】
【０００１】
本発明は、自転車かご用巾着袋に関する。
【背景技術】
【０００２】
従来、自転車に装備されたかごに防犯や防水等の目的で取付けられるかご用巾着袋が提案されている（特許文献１参照）。
【先行技術文献】
【特許文献】
【０００３】
【特許文献１】実開平５−４６６８４号公報
【発明の概要】
【発明が解決しようとする課題】
【０００４】
しかし、図９に示すように、従来の自転車のかご用巾着袋は、一本の紐１０２を一方側へ引き出して開口部１０５を絞るように構成されていた。この際、開口部１０５内にあった紐１０２は、一方側へ略全長（全体）が引き出される。一方側へ引き出された引出し紐部は、直線状の２重紐となって、図９に於ては、紐出し口部１０６から紐１０２の先端１０２ａまでの長さ寸法Ｌ０（即ち、直線状の２重紐の引出し紐部の長さ寸法Ｌ０）が、全開状態の開口部１０５の周端縁部の長さ寸法（全周長）の略５０％の長さとなり、大変長くなっていた。このように引き出された紐１０２は、かごの外面に沿って下方に垂れ下がって、自転車の車輪に巻き込まれたり、他の人や障害物に引っ掛かる虞れがあり大変危険であった。特に、自転車の前かごや後かごは、荷物を多く収納できるように広口状に構成されているため、袋の開口部も大きく設定されている。その分、垂れ下がる紐の長さ寸法が長くなり、危険性が増大するという欠点があった。
【０００５】
そこで、本発明は、防犯・防水に役立ち、かつ、安全性の高い自転車かご用巾着袋を提供することを目的とする。
【課題を解決するための手段】
【０００６】
本発明に係る自転車かご用巾着袋は、自転車に固着されたかごに取付けられると共に上方開口状の開口部を有する袋状体を備え、管状に縫製した上記開口部の周端縁部に、引き絞り用の紐を挿通し、上記周端縁部に２個の紐出し口部を設け、かつ、該紐出し口部相互の中間位置にて上記紐と上記袋状体の周端縁部を縫い合わせて止着する縫着部を設け、上記紐に張力を付与しつつ上記紐出し口部近傍を上記縫着部に向けて押圧すると上記周端縁部が蛇腹状に縮んで上記開口部が絞られるように構成されたものである。
【０００７】
また、自転車に固着されたかごに取付けられると共に上方開口状の開口部を有する袋状体を備え、管状に縫製した上記開口部の周端縁部に、引き絞り用の紐を挿通し、上記周端縁部に２個の紐出し口部を設け、かつ、該紐出し口部相互の中間位置にて上記紐と上記袋状体の周端縁部を縫い合わせて止着する縫着部を設け、上記紐が斜め上方に向けて引き上げられると上記紐出し口部が相互に接近し上記周端縁部が蛇腹状に縮んで上記開口部が絞られるように構成されたものである。
また、上記周端縁部が縮んで上記開口部が絞られた閉状態に於て、上記紐出し口部の各々から引き出された引出し紐部は先端で折り返された直線状の２重紐から成り、該直線状の２重紐の各引出し紐部の引出し長さ寸法は、全開状態下の上記開口部の周端縁部の長さ寸法の２５％以下に設定されているものである。
【発明の効果】
【０００８】
本発明の自転車かご用巾着袋によれば、開口部が絞られて閉状態となった際、引き出される紐の引出し長さ寸法を短くすることができ、車輪への巻き込みや、他の人や障害物に引っ掛かる危険を回避することができる。簡単かつ迅速に、開口部を絞ることができ、自転車のかごに収納された荷物の飛び出しや、ひったくりを防止でき、また、荷物が雨水に濡れるのを防止することができる。
【図面の簡単な説明】
【０００９】
【図１】本発明の実施の一形態を全開状態として示した斜視図である。
【図２】本発明の実施の一形態を閉状態として示した斜視図である。
【図３】全開状態の開口部を示した要部拡大断面平面図である。
【図４】閉状態の開口部を示した要部拡大断面平面図である。
【図５】本発明の使用例を示した作用説明図である。
【図６】本発明の他の使用例を示した作用説明図である。
【図７】本発明の他の実施形態を全開状態として示した斜視図である。
【図８】本発明の他の実施形態を閉状態として示した斜視図である。
【図９】従来の自転車かご用巾着袋を示した説明図である。
【発明を実施するための形態】
【００１０】
以下、実施の形態を示す図面に基づき本発明を詳説する。
図１と図２に示すように、本発明の自転車かご用巾着袋は、自転車に固着されたかごＡに取付けられると共に上方開口状の開口部５を有する袋状体１を備え、管状に縫製した開口部５の周端縁部５Ａに、引き絞り用の紐３を挿通し、周端縁部５Ａに２個の紐出し口部６，６を設け、かつ、紐出し口部６，６相互の中間位置にて紐３と袋状体１の周端縁部５Ａを縫い合わせて止着する縫着部４，４を設けている。
【００１１】
図１、図２では、袋状体１は、丈夫で、かつ、防水性を有する材料で構成され、自転車の前方に取着されたかごＡの外側面を覆うと共に、かごＡの口の上方に延伸して開口部５を上方に向けて開口している。図示省略するが、かごＡの下面を覆う袋状体１の底面部は、弾性環状絞り部を縫製した底抜け状であって良い。
図３に示すように、開口部５は、周端縁部５Ａを管状に折返して縫製され、全開状態下に於て、周端縁部５Ａの長さ寸法Ｌ５を２等分する位置に、２個の紐出し口部６，６を開口している。２個の紐出し口部６，６により分断された周端縁部５Ａに、引き絞り用の紐３が、管内で相互に重ならないように挿通されて、紐出し口部６，６の外部にコードストッパー７，７が取付けられている。また、全開状態に於て、縫着部４は、紐出し口部６，６までの周上の長さ寸法が相互に均等になる中間位置に配設されている。
【００１２】
図４に示すように、周端縁部５Ａが縮んで開口部５が絞られた閉状態に於て、紐出し口部６，６の各々から引き出された引出し紐部１０は先端３ａで折り返された直線状の２重紐から成り、直線状の２重紐の各引出し紐部１０の引出し長さ寸法Ｌ３は、全開状態下の開口部５の周端縁部５Ａの長さ寸法Ｌ５の２５％以下に設定されている。
閉状態の開口部５に於て、周端縁部５Ａは蛇腹状に折り畳まれて短縮され、紐出し口部６，６が、中間位置の縫着部４に相互に近接している。紐３は、縫着部４，４にて周端縁部５Ａ（袋状体１）に縫い付けられているため、紐出し口部６，６から略同一の長さ寸法Ｌ３だけ（左右）両側に均等に引出しが可能となっている。
【００１３】
次に、本発明の他の実施形態について説明する。
図７と図８に示すように、本発明の自転車かご用巾着袋は、自転車の後方に取着されたかごＡに使用することもできる。図７、図８では、袋状体１を、かごＡ内に収容し、かごＡの外周縁に沿ってベルトＢを締着している。他の実施形態の袋状体１は、有底袋状であって、かごＡの内面に当接状に装着されている。他の構成については、上述の実施の形態とほぼ同一であるため、説明を省略する。
【００１４】
上述した本発明の自転車かご用巾着袋の使用方法（作用）について説明する。
図５に示すように、紐３に張力を付与しつつ紐出し口部６，６近傍を縫着部４，４に向けて押圧すると周端縁部５Ａが蛇腹状に縮んで開口部５が絞られる。
より詳細に説明すると、図５（ａ）の開状態で、荷物等を袋状体１の内部に収納し、次に、図５（ｂ）に示すように、紐３の一端を手で持って引っ張りつつ、袋状体１の紐出し口部６，６近傍を（手で持って）縫着部４に向けて押圧する。この際、縫着部４にて紐３が縫い付けられているため、（紐３が）片側に寄ってしまうことなく、周端縁部５Ａが蛇腹状に縮んで一方の紐出し口部６のみが縫着部４に近づいて、一方側の引出し紐部１０が形成される。そして、紐３の他端側も同様に引き絞り、図５（ｃ）に示すように、開口部５を閉状態となって、両方に引出し紐部１０，１０が形成される。引出し紐部１０，１０は、紐出し口部６，６からほぼ均等に、従来よりも短い引出し長さ寸法Ｌ３ をもって引き出される。
【００１５】
また、本発明の自転車かご用巾着袋の他の使用例としては、図６に示すように、紐３が斜め上方に向けて引き上げられると紐出し口部６，６が相互に接近し周端縁部５Ａが蛇腹状に縮んで開口部５が絞られる。
図６（ａ）の開状態で、荷物等を袋状体１の内部に収納した後、図６（ｂ）に示すように、紐３を手で持って斜め上方に引き上げる。このように、縫着部４の両側から紐出し口部６，６を相互に接近させて、図６（ｃ）に示すように、両方の引出し紐部１０，１０を形成しつつ、開口部５を閉状態とする。この使用方法によれば、より迅速に開口部５を絞ることができ、時間が短縮できて便利である。
【００１６】
なお、本発明は、設計変更可能であって、例えば、コードストッパー７，７を省略して、紐３を輪状に括ったものでも良い。
【００１７】
以上のように、本発明に係る自転車かご用巾着袋は、自転車に固着されたかごＡに取付けられると共に上方開口状の開口部５を有する袋状体１を備え、管状に縫製した開口部５の周端縁部５Ａに、引き絞り用の紐３を挿通し、周端縁部５Ａに２個の紐出し口部６，６を設け、かつ、紐出し口部６，６相互の中間位置にて紐３と袋状体１の周端縁部５Ａを縫い合わせて止着する縫着部４，４を設け、紐３に張力を付与しつつ紐出し口部６，６近傍を縫着部４，４に向けて押圧すると周端縁部５Ａが蛇腹状に縮んで開口部５が絞られるように構成されたので、開口部５が絞られて閉状態となった際、引き出される紐３の引出し長さ寸法Ｌ３を短くすることができ、車輪への巻き込みや、他の人や障害物に引っ掛かる危険を回避することができる。簡単かつ迅速に、開口部５を絞ることができ、自転車のかごＡに収納された荷物の飛び出しや、ひったくりを防止でき、また、荷物が雨水に濡れるのを防止することができる。
【００１８】
また、自転車に固着されたかごＡに取付けられると共に上方開口状の開口部５を有する袋状体１を備え、管状に縫製した開口部５の周端縁部５Ａに、引き絞り用の紐３を挿通し、周端縁部５Ａに２個の紐出し口部６，６を設け、かつ、紐出し口部６，６相互の中間位置にて紐３と袋状体１の周端縁部５Ａを縫い合わせて止着する縫着部４，４を設け、紐３が斜め上方に向けて引き上げられると紐出し口部６，６が相互に接近し周端縁部５Ａが蛇腹状に縮んで開口部５が絞られるように構成されたので、開口部５が絞られて閉状態となった際、引き出される紐３の引出し長さ寸法Ｌ３を短くすることができ、車輪への巻き込みや、他の人や障害物に引っ掛かる危険を回避することができる。極めて簡単かつ迅速に、開口部５を絞ることができ、自転車のかごＡに収納された荷物の飛び出しや、ひったくりを防止でき、また、荷物が雨水に濡れるのを防止することができる。
【００１９】
また、周端縁部５Ａが縮んで開口部５が絞られた閉状態に於て、紐出し口部６，６の各々から引き出された引出し紐部１０は先端３ａで折り返された直線状の２重紐から成り、直線状の２重紐の各引出し紐部１０の引出し長さ寸法Ｌ３は、全開状態下の上記開口部５の周端縁部５Ａの長さ寸法Ｌ５の２５％以下に設定されているので、紐３がかごＡの下方に垂れ下がることなく、自転車の車輪に巻き込まれたり、他の人や障害物に引っ掛かる危険を低減でき、安全性を向上できる。
【符号の説明】
【００２０】
１  袋状体
３  紐
４  縫着部
５  開口部
５Ａ  周端縁部
６  紐出し口部
１０  引出し紐部
Ａ  かご
Ｌ３  引出し長さ寸法
Ｌ５  長さ寸法
【図１】
2013126889.tif 000003
【図２】
2013126889.tif 000004
【図３】
2013126889.tif 000005
【図４】
2013126889.tif 000006
【図５】
2013126889.tif 000007
【図６】
2013126889.tif 000008
【図７】
2013126889.tif 000009
【図８】
2013126889.tif 000010
【図９】
2013126889.tif 000011